(57)【要約】【課題】  耐振性に優れる放電灯を提供すること。【解決手段】  一対の外部電極端子を備えた透光性バルブ、及びこのバルブ内に配置された枠体によりバルブと非接触に保持された、上記一対の外部電極端子とそれぞれ電気的に接続する一対の棒状電極を備えた発光管を含む放電灯において、前記のバルブの内側面にバルブ周方向に沿って二個以上の凹部が形成され、かつ前記の枠体に該二個以上の凹部のそれぞれと係合して仮固定する仮固定具が備えられていることを特徴とする放電灯。【選択図】        図１
0003104954.tif 000002
【実用新案登録請求の範囲】
【請求項１】
一対の外部電極端子を備えた透光性バルブ、および該バルブ内に配置された枠体により該バルブと非接触に保持された、上記一対の外部電極端子とそれぞれ電気的に接続する一対の棒状電極を備えた発光管を含む放電灯において、前記のバルブの内側面にバルブ周方向に沿って二個以上の凹部が形成され、かつ前記の枠体に該二個以上の凹部のそれぞれと係合して仮固定する仮固定具が備えられていることを特徴とする放電灯。
【請求項２】
二個以上の凹部の底面のバルブ周方向に沿う長さを合計した長さが、バルブ内周の凹部が形成されていない部分の長さを合計した長さよりも小さい請求項１に記載の放電灯。
【請求項３】
二個以上の凹部の底面のバルブ周方向に沿う長さを合計した長さが、バルブ内周の凹部が形成されていない部分の長さを合計した長さの５０％未満である請求項２に記載の放電灯。
【請求項４】
二個以上の凹部がバルブの軸を中心として対称に配置されている請求項１乃至３のうちのいずれかの項に記載の放電灯。
【請求項５】
各々の凹部の底面が平面である請求項１乃至４のうちのいずれかの項に記載の放電灯。
【請求項６】
二個以上の凹部がそれぞれ互いに同一の形状にある請求項１乃至５のうちのいずれかの項に記載の放電灯。
【請求項７】
凹部の数が二個である請求項１乃至６のうちのいずれかの項に記載の放電灯。
【請求項８】
各々の凹部の底面のバルブ周方向に沿う長さが３乃至１０５ｍｍの範囲にある請求項１乃至７のうちのいずれかの項に記載の放電灯。
【請求項９】
各々の仮固定具が、バルブの外側方向へと広がる弾性体から構成されている請求項１に記載の放電灯。
【請求項１０】
弾性体が板バネである請求項９に記載の放電灯。
【考案の詳細な説明】
【技術分野】
【０００１】
本考案は、漁船に設置される集魚灯として有利に用いることのできる放電灯に関する。
【背景技術】
【０００２】
集魚灯は、漁船に設置された発電機などの電源と接続され、たとえばイカ、サバ、あるいはサンマなどの魚介類を集魚する際に点灯される。集魚灯としては、発光効率に優れる放電灯が用いられる場合が多い。
【０００３】
放電灯は、一対の外部電極端子を備えた透光性バルブ、およびこのバルブ内に配置された枠体によりバルブと非接触に保持された、上記一対の外部電極端子とそれぞれ電気的に接続する一対の棒状電極を備えた発光管などから構成されている。
【０００４】
集魚灯として用いる放電灯には、優れた耐振性が必要とされる。これは、漁船に波がぶつかることにより生じる振動、あるいは上記発電機の作動により生じる振動によってバルブ内の発光管が動いたり回転したりして、例えば、バルブの外部電極端子と発光管の棒状電極とを接続する電気配線が断線して集魚灯が故障する場合があるからである。
【０００５】
登録実用新案第３０８９００９号公報には、バルブ（外囲器）に、その内方に突出する保持部がバルブ周方向に沿って二対形成された構成の船舶用集魚ランプが開示されている。そして各々の対の保持部の間には、発光管を保持する枠体に備えられた振止板が嵌め合わされている。このため、この集魚ランプは、振動が加わった場合にバルブと発光管とが一体として振動し、上記のようにバルブ内で発光管が動いたり回転したりすることがないために優れた耐振性を示すとされている。
【考案の開示】
【考案が解決しようとする課題】
【０００６】
上記公報に記載の集魚ランプを製造するに際して、振止板を備えた発光管は、内方に突出する保持部を備えたバルブ内に挿入される。この際に、発光管を、その振止板がバルブ内の保持部と保持部との間に嵌め合わされるようにして、その配置を調節しならがらバルブ内に挿入しないと、振止板がバルブ内方に突出する保持部に突き当たってしまう。このため、バルブにその内方に突出する保持部が備えられている場合、特に振止板が嵌め合わされる一対の保持部の間隔が短い場合には、バルブ内に発光管を挿入するために手間がかかる。このため、通常、振止板が嵌め合わされる一対の保持部は、比較的に長い間隔をあけてバルブに形成される。そして一対の保持部の間隔に応じて、これら保持部の間に嵌め合わされる振止板は、そのバルブ周方向に沿うサイズが比較的に大きなものとなる。
【０００７】
本考案者の研究によると、上記公報に記載の集魚灯は有る程度の優れた耐振性を示すものの、バルブ内方に突出する保持部と保持部との間に嵌め合わされた振止板は、そのバルブ周方向のサイズが大きいために振動によって撓み易く、これにより発光管が、バルブとは独立にバルブ周方向に僅かに振動する場合があることがわかった。漁船に設置して使用される集魚灯には大きな振動が加わるため、上記発光管のバルブ周方向の振動を低減して、集魚灯の耐振性をさらに向上させることが望ましい。また集魚灯を、その製造工程においてバルブ内に発光管を挿入し易い構成とすることも望ましい。
【０００８】
本考案の目的は、耐振性に優れる放電灯を提供することにある。
本考案の目的はまた、耐振性に優れ、そして製造が容易な放電灯を提供することにもある。
【課題を解決するための手段】
【０００９】
本考案は、一対の外部電極端子を備えた透光性バルブ、及びこのバルブ内に配置された枠体によりバルブと非接触に保持された、上記一対の外部電極端子とそれぞれ電気的に接続する一対の棒状電極を備えた発光管を含む放電灯において、前記のバルブの内側面にバルブ周方向に沿って二個以上の凹部が形成され、かつ前記の枠体に該二個以上の凹部のそれぞれと係合して仮固定する仮固定具が備えられていることを特徴とする放電灯にある。
【００１０】
本考案の放電灯の好ましい態様は、下記の通りである。
（１）二個以上の凹部の底面のバルブ周方向に沿う長さを合計した長さが、バルブ内周の凹部が形成されていない部分の長さを合計した長さよりも小さい。さらに好ましくは、二個以上の凹部の底面のバルブ周方向に沿う長さを合計した長さが、バルブ内周の凹部が形成されていない部分の長さを合計した長さの５０％未満である。
（２）二個以上の凹部がバルブの軸を中心として対称に配置されている。
（３）各々の凹部の底面が平面である。
（４）二個以上の凹部がそれぞれ互いに同一の形状にある。
（５）凹部の数が二個である。
（６）各々の凹部の底面のバルブ周方向に沿う長さが３乃至１０５ｍｍの範囲にある。
（７）各々の仮固定具が、バルブの外側方向へと広がる弾性体から構成されている。
（８）弾性体が板バネである。
【考案の効果】
【００１１】
本考案の放電灯は、振動が加わった場合に、そのバルブ内で発光管が動いたり回転したりすることがないために優れた耐振性を示す。
【考案を実施するための最良の形態】
【００１２】
本考案の放電灯を、添付の図面を用いて説明する。図１は、本考案の放電灯の構成例を示す正面図であり、そして図２は、図１の放電灯の右側面図である。
【００１３】
図１及び図２に示す放電灯１０は、一対の外部電極端子１１ａ、１１ｂを備えた透光性バルブ１２、及びバルブ１２内に配置された枠体１３によりバルブ１２と非接触に保持された、上記一対の外部電極端子１１ａ、１１ｂとそれぞれ電気的に接続する一対の棒状電極１４ａ、１４ｂを備えた発光管１５などから構成されている。
【００１４】
図１及び図２に示す放電灯のバルブ１２は、例えば、石英ガラスなどの透光性材料から形成される。図１に示すように、バルブ１２には、一対の外部電極端子１１ａ、１１ｂを備えたねじ込み型の口金が備えられている。バルブ１２には、一対の外部電極端子を備えたバイポスト型の口金などが備えられていてもよい。
【００１５】
発光管１５の一対の棒状電極１４ａ、１４ｂのそれぞれは、例えば、モリブデンから形成された金属箔１６ａ、１６ｂに溶接されている。そして金属箔１６ａ、１６ｂのそれぞれには、リード線１７ａ、１７ｂが溶接されている。棒状電極１４ａ、１４ｂ、そしてリード線１７ａ、１７ｂの金属箔１６ａ、１６ｂとの接続部近傍は、これらの金属箔とともに発光管１５の端部にてピンチシールされている。発光管１５の内部は通常、高真空に排気されたのち、例えば、水銀、希ガス、及び金属ハロゲン化物などが封入される。
【００１６】
発光管１５には、その上部と下部とをそれぞれ挟むようにして、例えば、ステンレススチールから形成された上側発光管バンド１８ａと下側発光管バンド１８ｂとが溶接されている。
【００１７】
発光管１５を保持する枠体１３としては、例えば、ステンレススチール製の棒材が用いられている。枠体１３は、梁部１３ｃと、梁部１３ｃの両端部のそれぞれから発光管１５の下側の方向に向かって伸びる脚部１３ａ、１３ｂとから構成されている。枠体１３の脚部１３ａ、１３ｂは、例えば、ステンレススチール製の棒材からなる補強具１９により互いに固定されている。
【００１８】
発光管１５に溶接された上側発光管バンド１８ａの両端は、それぞれ枠体１３の脚部１３ａ、１３ｂの上端近傍に巻き付けられて溶接されている。この上側発光管バンド１８ａの枠体１３の脚部１３ａ、１３ｂに巻き付けられた部位には、逆Ｔ字形（図２参照）の支持板２０ａ、２０ｂがそれぞれ溶接されている。支持板２０ａ、２０ｂのそれぞれは、例えば、ステンレススチールから形成され、バルブ１２の内側面に沿う形状に曲げ加工されている。支持板２０ａ、２０ｂは、枠体１３のバルブ１２の先端側への移動を規制する。
【００１９】
枠体１３の梁部１３ｃには、平板状のゲッタ２６が固定されている。ゲッタ２６は、バルブ１２内の水素を吸着する。
【００２０】
枠体１３の脚部１３ａ、１３ｂには、コイルバネ２１ａ、２１ｂ、アルミナ管２２ａ、２２ｂ、そしてアルミナ管２３ａ、２３ｂがそれぞれ順に嵌め合わされている。これらのアルミナ管は、例えば、発光管１５の内部にナトリウムなどの金属材料を封入した場合に、この金属材料が陽イオンとなって発光管の外部に漏出することを防止する。枠体１３の脚部１３ａ、１３ｂにアルミナ管が付設されていないと、発光管１５にて発生した紫外線が枠体の脚部に照射されてバルブ１２の内部に電子が放出され、この電子に発光管内部の陽イオンが引き寄せられて、発光管の外部に漏出し易くなる。アルミナ管は、枠体１３の脚部１３ａ、１３ｂを遮光して、バルブ１２の内部への電子の放出を防止する。コイルバネ２１ａ、２１ｂは、放電灯１０に振動が加わった場合に、アルミナ管２２ａ、２２ｂの上側端部がバルブ１２の内側面に衝突して欠けないように、アルミナ管を保護している。
【００２１】
発光管１５に溶接された下側発光管バンド１８ｂの両端は、それぞれ枠体１３の脚部１３ａ、１３ｂに嵌め合わされたアルミナ管２３ａ、２３ｂに巻き付けられて溶接されている。これらのアルミナ管２３ａ、２３ｂによって、下側発光管バンド１８ｂは、枠体１３の脚部１３ａ、１３ｂとは電気的に絶縁されている。
【００２２】
このようにして、発光管１５は、バルブ１２内に配置された枠体１３によりバルブと非接触に保持されている。
【００２３】
図１の放電灯１０のバルブ１２が備える外部端子１１ａは、導入線２４ａ、より線２５ａ、リード線１７ｂ、そして金属泊１６ｂを介して発光管１５の棒状電極１４ｂと電気的に接続されている。バルブ１２が備える外部端子１１ｂは、導入線２４ｂ、枠体１３、より線２５ｂ、リード線１７ａ、そして金属箔１６ａを介して発光管１５の棒状電極１４ａと電気的に接続されている。従って、図１の放電灯１０は、その外部端子１１ａ、１１ｂの間に電気的エネルギーを付与することにより、発光管１５の内部で放電が生じて発光する。
【００２４】
そして図１及び図２に示す放電灯１０において、バルブ１２の内側面には、バルブ１２の周方向に沿って二個の凹部２７ａ、２７ｂが形成され、かつ上記枠体１３に二個の凹部２７ａ、２７ｂのそれぞれと係合して仮固定する仮固定具２８ａ、２８ｂが備えられている。
【００２５】
放電灯１０の発光管１５は、これを保持する枠体１３が備える仮固定具２８ａ、２８ｂが、バルブ内側面に形成された凹部２７ａ、２７ｂのそれぞれと係合しているために、その位置がバルブ１２に対して固定される。このため放電灯１０に振動が加わった場合に、バルブ１２と発光管１５とは一体となって振動する。すなわち放電灯１０は、振動が加えられてもバルブ１２内で発光管１５が動いたり回転したりすることがないために、優れた耐振性を示す。
【００２６】
図１及び図２に示す放電灯１０はまた、後に詳しく説明するように、バルブ１２の内側面に形成された各々の凹部のバルブの周方向に沿う長さが小さい場合であっても、枠体１２に保持された発光管１５を、バルブ内に容易に挿入することができる。このため凹部２７ａ、２７ｂのそれぞれと係合する仮固定具２８ａ、２８ｂのバルブ周方向に沿う長さを小さく設定することができる。仮固定具のバルブ周方向に沿う長さが小さいと、放電灯に大きな振動が加わった場合の仮固定具の撓み量が小さくなるため、放電灯１０の耐振性を向上させることができる。
【００２７】
次に、本考案の放電灯を製造する手順について、バルブの内側面に二個の凹部を備える図１の放電灯１０を代表例として説明する。
【００２８】
図１の放電灯１０のバルブ１２は、上側バルブ部分１２ａと下側バルブ部分１２ｂから構成されている。放電灯１０は、上側バルブ部分１２ａの内部に、枠体１３に保持された発光管１５を挿入したのち、上側バルブ部分と下側バルブ部分とを互いに溶着して一体化して得られる。
【００２９】
図３は、図１の放電灯１０の上側バルブ部分１２ａの構成を示す正面図であり、そして図４は、図３に記入した切断線Ｉ−Ｉ線に沿って切断した上側バルブ部分１２ａの断面図である。図４に示すように、上側バルブ部分１２ａの内側面には、バルブの周方向に沿って二個の凹部２７ａ、２７ｂが形成されている。
【００３０】
二個の凹部２７ａ、２７ｂの底面のバルブ周方向に沿う長さを合計した長さ（図４の断面図における辺Ｌ1 と辺Ｌ2 の長さを合計した長さ）は、バルブ内周の凹部が形成されていない部分の長さを合計した長さ（辺Ｌ3 と辺Ｌ4 の長さを合計した長さ）よりも小さいことが好ましく、凹部が形成されていない部分の長さを合計した長さの５０％未満であることがさらに好ましい。
【００３１】
図４に示す上側バルブ部分１２ａの内側面に形成された二個の凹部２７ａ、２７ｂの底面のバルブ周方向に沿う長さを合計した長さは、バルブ内周の凹部が形成されていない部分の長さの約２０％の長さに設定されている。これにより、各々の凹部に係合する仮固定具として、バルブ周方向の長さが小さい（すなわち、振動が加えられても撓み難い）ものを用いることができるため、放電灯の耐振性を向上させることができる。放電灯のバルブ内にて発光管を安定に保持するため、二個の凹部２７ａ、２７ｂはバルブの軸を中心として対称に配置されていることが好ましい。また二個の凹部２７ａ、２７ｂは、互いに同一の形状であることが好ましい。
【００３２】
図４に示すように、バルブの内側面に形成される凹部の底面は平面であることが好ましい。従来の放電灯のようにバルブの内側面に一対の突起を形成して、これらの突起の間に振止板を配置する場合には、振動による振止板の移動を抑制するため、振止板はバルブの内側面と密着する湾曲した形状に設定され、その製造に手間がかかる。図４に示すように、凹部の底面を平面にすると、凹部に係合する仮固定具を湾曲した形状に設定する必要がないために、その製造が容易となる。
【００３３】
各々の凹部の底面のバルブ周方向に沿う長さは、３乃至１０５ｍｍの範囲にあることが好ましい。凹部の深さは、２乃至１０ｍｍの範囲にあることが好ましい。凹部の底面のバルブの軸方向に沿う長さは、例えば、５乃至１５０ｍｍの範囲に設定される。図３及び図４に示す上側バルブ部分１２ａの凹部２７ａ、２７ｂのそれぞれは、そのバルブ周方向に沿う長さが１４ｍｍに、深さが７ｍｍに、そしてバルブ軸方向に沿う長さが７０ｍｍに設定されている。
【００３４】
そして図３に示す上側バルブ部分１２ａの開口部３０から、仮固定具を備えた枠体に保持された発光管が挿入される。
【００３５】
図５は、図１の放電灯１０の仮固定具２８ｂの構成を示す正面図であり、そして図６は、図５の仮固定具２８ｂの右側面図である。図５及び図６に示す仮固定具２８ｂの長さＬ1 、Ｌ2 、Ｌ3 は、それぞれ４ｍｍ、１８ｍｍ、５ｍｍに、そして角度α1 、α2 は、それぞれ１５５度、１５５度に設定されている。また仮固定具２８ｂの幅Ｗは、１４ｍｍに設定されている。図１の放電灯１０の仮固定具２８ａ、２８ｂのそれぞれとしては、例えば、厚みが０．４ｍｍのステンレススチール製の板材をプレス加工して得られる板バネが用いられている。
【００３６】
このような板バネ（仮固定具）を備える枠体に保持された発光管を、図３に示す上側バルブ部分１２ａの開口部３０から挿入していくと、板バネが開口部３０に突き当たるが、この際に板バネが上側バルブ部分の内側方向に曲がるために発光管の挿入を続けることができる。そして仮固定具として用いる板バネは、上側バルブ部分の内側面に形成された凹部に到達すると上側バルブ部分の外側方向へと広がって、仮固定具と凹部とが係合する。
【００３７】
なお、発光管を上側バルブ部分に挿入したのちに、板バネ（仮固定具）と凹部との位置がバルブの周方向に沿ってずれている場合、枠体に保持された発光管をバルブの周方向に沿って回転させると、仮固定具として用いる板バネは凹部に到達すると上側バルブ部分の外側方向へと広がって、仮固定具と凹部とが係合する。
【００３８】
このように、放電灯のバルブの内側面に凹部を形成することにより、凹部の幅（バルブの周方向に沿う長さ）が小さい場合であっても、枠体に保持された発光管をバルブ内に容易に挿入して、仮固定することができる。このため、放電灯のバルブに発光管を仮固定するための仮固定具として、バルブ周方向に沿う長さが小さい（すなわち、振動が加わっても撓み難い）ものを用いることができる。
【００３９】
そして上側バルブ部分の内部に枠体に保持された発光管を挿入、そして仮固定したのちに、図１に示す発光管１５に備えられたリード線１７ｂと下側バルブ部分１２ｂに備えられたより線２５ａとを溶接して電気的に接続する。そして枠体１３の脚部１３ｂの下側端部と下側バルブ部分１２ｂに備えられた導入線２４ｂとを、例えば、ニッケル製のスリーブ２９を用いて電気的に接続する。最後に上側バルブ部分１２ａの開口部と下側バルブ部分１２ｂの開口部とを合わせ、互いに溶着することにより放電灯１０が得られる。
【００４０】
なお、図１の放電灯１０の仮固定具２８ａ、２８ｂとしては、ステンレススチール製の板バネを用いたが、これらの板バネに代えて、金属などの弾性材料からなる棒材、あるいはコイルバネなどを用いてもよい。
【００４１】
また、図３に示す上側バルブ部分１２ａの凹部が、開口部３０まで延長されて溝状に形成されている場合、仮固定具としては、この溝状の凹部と嵌め合いとなるセラミック製や金属製の部品（弾性体以外のもの）を用いることができる。このような仮固定具を用いると、枠体に保持された発光管を上側バルブ部分に挿入する際に、仮固定具が上側バルブ部分の開口部に突き当たる場合がある。この際には、枠体に保持された発光管をバルブの周方向に沿って回転させると、仮固定具が溝状の凹部に到達して嵌め合わされ、仮固定具と溝状の凹部とを係合させることができる。
【図面の簡単な説明】
【００４２】
【図１】本考案の放電灯の構成例を示す正面図である。
【図２】図１の放電灯１０の右側面図である。
【図３】図１の放電灯１０の上側バルブ部分１２ａの構成を示す正面図である。
【図４】図３に記入した切断線Ｉ−Ｉ線に沿って切断した上側バルブ部分１２ａの断面図である。
【図５】図１の放電灯１０の仮固定具２８ｂの構成を示す正面図である。
【図６】図５の仮固定具２８ｂの右側面図である。
【符号の説明】
【００４３】
１０  放電灯
１１ａ、１１ｂ  外部電極端子
１２  透光性バルブ
１２ａ  上側バルブ部分
１２ｂ  下側バルブ部分
１３  枠体
１３ａ、１３ｂ  枠体の脚部
１３ｃ  枠体の梁部
１５  発光管
１６ａ、１６ｂ  金属箔
１７ａ、１７ｂ  リード線
１８ａ  上側発光管バンド
１８ｂ  下側発光管バンド
１９  補強具
２０ａ、２０ｂ  支持板
２１ａ、２１ｂ  コイルバネ
２２ａ、２２ｂ  アルミナ管
２３ａ、２３ｂ  アルミナ管
２４ａ、２４ｂ  導入線
２５ａ、２５ｂ  より線
２６  ゲッタ
２７ａ、２７ｂ  凹部
２８ａ、２８ｂ  仮固定具
２９  スリーブ
３０  上側バルブ部分の開口部
【図１】
0003104954.tif 000003
【図２】
0003104954.tif 000004
【図３】
0003104954.tif 000005
【図４】
0003104954.tif 000006
【図５】
0003104954.tif 000007
【図６】
0003104954.tif 000008